(57)【要約】【課題】  容易かつ確実に撮像装置及び該撮像装置の周辺装置のファームウェアの更新データを取得することができる更新データ取得装置を提供する。【解決手段】  記録媒体に記録されている画像データに付加されている画像データ情報から、画像データに基づく画像を撮像した撮像装置を特定する情報と画像の撮像時に撮像装置に装着されていた周辺装置を特定する情報とのうちの少なくとも一方、及び画像を撮像した撮像日時を取得する第１取得部４と、ネットワーク接続されたサーバ２０から、撮像装置及び周辺装置の少なくとも一方のファームウェアの更新日時を取得する第２取得部４と、第１取得部４により取得された撮像日時、及び第２取得部４により取得された更新日時に基づいて、ファームウェアの更新データを受信すべきか否かを判別する判別部４と、判別部４による判別結果に基づいて、サーバ２０から更新データを受信する受信部４とを備える。【選択図】  図１
2010146327.tif 000002
【特許請求の範囲】
【請求項１】
記録媒体に記録されている画像データに付加されている画像データ情報から、前記画像データに基づく画像を撮像した撮像装置を特定する情報と該画像の撮像時に該撮像装置に装着されていた周辺装置を特定する情報とのうちの少なくとも一方、及び前記画像を撮像した撮像日時を取得する第１取得部と、
ネットワーク接続されたサーバから、前記撮像装置及び前記周辺装置の少なくとも一方のファームウェアの更新日時を取得する第２取得部と、
前記第１取得部により取得された前記撮像日時、及び前記第２取得部により取得された前記更新日時に基づいて、前記ファームウェアの更新データを受信すべきか否かを判別する判別部と、
前記判別部による判別結果に基づいて、前記サーバから前記更新データを受信する受信部と、
を備えることを特徴とする更新データ取得装置。
【請求項２】
前記周辺装置が前記撮像装置に装着されたときに、前記受信部で受信した前記更新データに基づいて、前記周辺装置の前記ファームウェアを更新することを特徴とする請求項１記載の更新データ取得装置。
【請求項３】
前記周辺装置が前記撮像装置に装着されたときに、前記周辺装置の前記ファームウェアを更新するか否かを選択させる更新選択部を更に備え、
前記更新選択部による選択結果に基づいて、前記周辺装置の前記ファームウェアを更新することを特徴とする請求項２記載の更新データ取得装置。
【請求項４】
前記第１取得部が前記画像データ情報から、前記撮像装置を特定する情報と前記周辺装置を特定する情報とのうちの少なくとも一方、及び前記撮像日時を一度取得したことを示す取得情報を記録する記録部を更に備え、
前記第１取得部は、前記取得情報が前記記録部に記録されている場合には、前記画像データ情報から前記撮像装置を特定する情報、前記周辺装置を特定する情報、及び前記撮像日時のいずれをも再度取得しないことを特徴とする請求項１〜請求項３の何れか一項に記載の更新データ取得装置。
【請求項５】
前記受信部が前記サーバから前記更新データを受信したことを示す受信情報を記録する記録部を更に備え、
前記受信部は、前記記録部に記録された前記受信情報と、前記サーバ内の前記更新データの最新バージョンに関する情報とを比較して、該受信部で受信済みの前記更新データが前記最新バージョンでなければ、該サーバから該最新バージョンの更新データを受信することを特徴とする請求項１〜請求項３の何れか一項に記載の更新データ取得装置。
【請求項６】
前記画像を撮像した撮像装置が自装置である場合には、前記受信部により受信した前記更新データを用いて、前記撮像装置及び前記周辺装置の少なくとも一方の前記ファームウェアを更新することを特徴とする請求項１〜請求項５の何れか一項に記載の更新データ取得装置。
【請求項７】
前記受信部により受信した前記更新データを前記記録媒体に記録することを特徴とする請求項１〜請求項６の何れか一項に記載の更新データ取得装置。
【請求項８】
前記判別部により前記更新データを受信すべきであると判別された場合において、前記更新データを受信するか否かを選択させる受信選択部を更に備え、
前記受信部は、前記受信選択部による選択結果に基づいて、前記更新データを受信することを特徴とする請求項１〜請求項７の何れか一項に記載の更新データ取得装置。
【請求項９】
前記周辺装置は、撮影レンズ、照明装置、無線通信機を含むことを特徴とする請求項１〜請求項８の何れか一項に記載の更新データ取得装置。
【発明の詳細な説明】
【技術分野】
【０００１】
本発明は、撮像装置及び該撮像装置の周辺装置のファームウェアの更新データを取得する更新データ取得装置に関するものである。
【背景技術】
【０００２】
過去にカメラに装着されたことのあるカメラアクセサリ（周辺装置）のファームウェアのバージョン及び種類等のカメラアクセサリを識別するための識別情報をカメラ本体に記憶させ、ファームウェアの更新時において、カメラ本体に記憶されている識別情報に基づいてホストコンピュータからカメラアクセサリのファームウェアの更新データを一括してダウンロードし、カメラアクセサリを装着させ、ダウンロードした更新データを用いてカメラアクセサリのファームウェアを更新するカメラ（データ書換装置）が提案されている（例えば、特許文献１参照）。
【特許文献１】特開２００５−７８３４３号公報
【発明の開示】
【発明が解決しようとする課題】
【０００３】
ところで、上述の特許文献１記載のカメラにおいては、過去にカメラに装着されたことのあるカメラアクセサリのファームウェアのバージョン及び種類等の情報を記憶させる必要があり面倒であった。また、使用者（ユーザー）が他人から借りたカメラアクセサリ等、その使用者にとっては不必要なカメラアクセサリの情報も自動的に記憶され、且つ不必要なカメラアクセサリのファームウェアの更新データが自動的にダウンロードされるという問題があった。また、ユーザーによるファームウェア更新の指示がなければ、カメラアクセサリのファームウェアは更新されないため、ユーザーはファームウェアの更新情報を頻繁にチェックする必要があった。
【０００４】
本発明の目的は、容易かつ確実に撮像装置及び該撮像装置の周辺装置のファームウェアの更新データを取得することができる更新データ取得装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の更新データ取得装置は、記録媒体に記録されている画像データに付加されている画像データ情報から、前記画像データに基づく画像を撮像した撮像装置を特定する情報と該画像の撮像時に該撮像装置に装着されていた周辺装置を特定する情報とのうちの少なくとも一方、及び前記画像を撮像した撮像日時を取得する第１取得部（４）と、ネットワーク接続されたサーバ（２０）から、前記撮像装置及び前記周辺装置の少なくとも一方のファームウェアの更新日時を取得する第２取得部（４）と、前記第１取得部（４）により取得された前記撮像日時、及び前記第２取得部（４）により取得された前記更新日時に基づいて、前記ファームウェアの更新データを受信すべきか否かを判別する判別部（４）と、前記判別部による判別結果に基づいて、前記サーバ（２０）から前記更新データを受信する受信部（４）とを備えることを特徴とする。
【発明の効果】
【０００７】
本発明の更新データ取得装置によれば、容易かつ確実に撮像装置及び該撮像装置の周辺装置のファームウェアの更新データを取得することができる。
【発明を実施するための最良の形態】
【０００８】
以下、図面を参照して、本発明の第１の実施の形態に係る更新データ取得装置について説明する。図１は、この実施の形態に係る更新データ取得装置のシステム構成を示すブロック図である。この更新データ取得装置２は、例えばパソコン（ＰＣ）であり、カメラやカメラアクセサリ（カメラに接続される撮影レンズ、照明装置、無線通信機等）のファームウェアをバージョンアップさせる際に必要な更新データを取得する機能を有している。但し、本発明が適用可能な更新データ取得装置としては、パソコンに限定されず、通信機能を備えたカメラであってもよい。図１に示すように、更新データ取得装置２は、更新データ取得装置２の各部を統括的に制御する制御部４を備えており、制御部４には、メモリカードスロット６、ＵＳＢポート８、ネットワーク端子１０、内部メモリ１２、表示部１４、操作部１６が接続されている。
【０００９】
メモリカードスロット６には、画像データや画像データに付加されている画像データに関する情報等が記録されたメモリカードが着脱可能に装着され、制御部４は、メモリカードスロット６に挿入されたメモリカード内に記録されている画像データや画像データに関する情報を取得する。また、ＵＳＢポート８には、ＵＳＢ機器が接続され、例えばＵＳＢ端子を有するカメラ等の電子機器がＵＳＢケーブルを介して接続される。
【００１０】
ネットワーク端子１０は、インターネット等のネットワークに接続するために用いられ、この実施の形態においては、更新データ取得装置２は、ネットワーク端子１０を介して接続されるインターネット等のネットワーク１８上に存在するＷｅｂサーバ２０に接続されており、Ｗｅｂサーバ２０には、様々な種類のカメラやカメラアクセサリのファームウェアの更新データがアップロードされている。内部メモリ１２には、更新データ取得装置２においてファームウェアの更新データを取得するための更新データ取得プログラムや画像データに基づく画像を表示部１４に表示するための画像表示プログラム、画像データや画像データに関する情報等が記録されている。
【００１１】
表示部１４は、メモリカードスロット６に挿入されているメモリカードや内部メモリ１２に記録されている画像データに基づく画像等を表示する。操作部１６は、電源をオン／オフする電源スイッチ、各種設定や処理の際に操作されるキーボードやポインティングデバイス等を含んで構成されている。
【００１２】
次に、図２に示すフローチャートを参照して、第１の実施の形態に係る更新データ取得装置２においてカメラ・カメラアクセサリのファームウェアの更新データを取得する際の処理について説明する。
【００１３】
まず、制御部４は、ユーザーがメモリカードに記録されている画像データに基づく画像を表示部１４に表示させるために、メモリカードスロット６にそのメモリカードを挿入したとき、メモリカードスロット６に挿入されたメモリカードに記録されている画像データ及びそれら画像データに付加されている画像データに関する情報（以下、画像データ情報という）を読み込む（ステップＳ１０）。画像データ情報には、画像が撮像された日時（撮像日時）、画像を撮像したカメラを特定する情報（例えば、メーカー名や機種名、以下、カメラの情報という）、画像の撮像時にカメラに少なくとも１つのカメラアクセサリが装着されていた場合には装着されていたすべてのカメラアクセサリを特定する情報（例えば、カメラアクセサリの種類、メーカー名や機種名、以下、カメラアクセサリの情報という）、露出等の撮像に関する情報等が含まれている。なお、カメラをＵＳＢケーブルを介してＵＳＢポート８に接続し、カメラのメモリカードスロットに挿入されているメモリカードから、画像データ及び画像データ情報を読み込むこともできる。また、メモリカードに複数の画像データが記録されている場合には、すべての画像データ及び画像データ情報を読み込む。
【００１４】
次に、制御部４は、ステップＳ１０において読み込んだ画像データ情報からカメラの情報、カメラアクセサリの情報及び撮像日時を、更新データ取得装置２において一度取得したことを示す情報（以下、取得情報という）が内部メモリ１２に記録されているか否かを判別する（ステップＳ１１）。取得情報は、ステップＳ１０において読み込まれた少なくとも１つの画像データ情報が以前に読み込まれ、その画像データ情報に含まれるカメラの情報、カメラアクセサリの情報及び撮像日時が更新データ取得装置２において取得されたときに、その旨を示す情報として内部メモリ１２に記録された情報である。
【００１５】
すべての画像データ情報について取得情報が内部メモリ１２に記録されていないと判別された場合には（ステップＳ１１、Ｎｏ）、制御部４は、ステップＳ１０において読み込まれたすべての画像データ及び画像データ情報が更新データ取得装置２において初めて読み込まれたものであると判断する。そして、ステップＳ１０において読み込んだ画像データ情報に含まれているカメラの情報、カメラアクセサリの情報及び撮像日時を取得する（ステップＳ１２）。また、一部の画像データ情報について取得情報が内部メモリ１２に記録されていないと判別された場合には（ステップＳ１１、Ｎｏ）、制御部４は、その一部の画像データ情報に含まれているカメラの情報、カメラアクセサリの情報及び撮像日時を取得する（ステップＳ１２）。そして、ステップＳ１２において取得したカメラの情報及びカメラアクセサリの情報から、画像を撮像したカメラのメーカー及び機種、画像の撮像時に少なくとも１つのカメラアクセサリがカメラに装着されていたか否か、装着されていた場合には装着されていたすべてのカメラアクセサリのメーカー及び機種等を特定する。
【００１６】
この実施の形態においては、メモリカードに記録されているすべての画像データに基づく画像が同一機種のカメラにより撮像され、一部の画像の撮像時に所定機種の撮影レンズ、所定機種の照明装置がカメラに装着されていたものとして説明を行う。よって、ステップＳ１２において、１種類のカメラ、１種類の撮影レンズ、及び１種類の照明装置を特定する情報を取得したものとする。
【００１７】
次に、制御部４は、ステップＳ１２においてカメラの情報等を取得したことを示す取得情報を内部メモリ１２に記録させる（ステップＳ１３）。なお、取得情報は、内部メモリ１２の代わりに、画像データ及び画像データ情報が記録されているメモリカードに記録させることもできる。この場合には、取得情報は、画像データに付加させる、画像データ情報に含める、または１個のファイルとして記録させる。
【００１８】
次に、制御部４は、Ｗｅｂサーバ２０にアップロードされているカメラ・カメラアクセサリのファームウェアから、画像撮像時に使用したカメラ・カメラアクセサリのファームウェアを検索し、その更新日時を取得する（ステップＳ１４）。即ち、１種類のカメラ、１種類の撮影レンズ、及び１種類の照明装置のファームウェアのそれぞれの更新日時を取得する。
【００１９】
次に、制御部４は、ステップＳ１２において画像データ情報から取得した撮像日時と、ステップＳ１４においてＷｅｂサーバ２０から取得したカメラ・カメラアクセサリのファームウェアの更新日時とを比較する（ステップＳ１５）。複数の画像データ情報が存在する場合には、すべての撮像日時の最古の日時等を撮像日時として用いる。この実施の形態においては、まず、撮像日時と、カメラのファームウェアの更新日時とを比較する。
【００２０】
ステップＳ１５における比較結果としてカメラのファームウェアの更新日時が画像の撮像日時より後であると判別された場合には（ステップＳ１６、Ｙｅｓ）、制御部４は、表示部１４に、カメラのメーカーや機種名、そのカメラのファームウェアの更新データの存在、更新データの更新日時等についての表示、及び更新データを受信するか否かをユーザーに選択させるための表示（例えば「更新データが存在します。ダウンロードしますか？」等の表示）を行う（ステップＳ１７）。もしその更新データが、ユーザー自身の所有物ではないアクセサリについての更新データであった場合には、この時点で（ステップＳ１７における選択ステップの時点で）ユーザーは「ダウンロードしない」を選択することにより、そのユーザーにとっては無駄なダウンロード動作を防ぐことが出来る。
【００２１】
ユーザーが操作部１６を介してステップＳ１７における表示に対して更新データを受信することを選択した場合には（ステップＳ１８、Ｙｅｓ）、制御部４は、Ｗｅｂサーバ２０からカメラのファームウェアの更新データを受信（ダウンロード）し、受信した更新データを画像データが記録されているメモリカードに記録する（ステップＳ１９）。
【００２２】
一方、ステップＳ１５における比較結果としてカメラのファームウェアの更新日時が画像の撮像日時より後でない場合（ステップＳ１６、Ｎｏ）、またはユーザーがステップＳ１７における表示に対して更新データを受信しないことを選択した場合（ステップＳ１８、Ｎｏ）、制御部４は、画像の撮像時に装着されていたカメラアクセサリ（この実施の形態では撮影レンズまたは照明装置）のファームウェアの更新データ取得についての処理を行うため（ステップＳ２０、Ｙｅｓ）、ステップＳ１５に戻り、撮影レンズまたは照明装置についてステップＳ１５〜Ｓ２０の処理を行う。そして、カメラに装着されていたすべてのカメラアクセサリのファームウェアの更新データ取得についての処理が終了するまで（ステップＳ２０、Ｎｏ）、ステップＳ１５〜Ｓ２０の処理を繰り返す。即ち、この実施の形態においては、撮影レンズまたは照明装置のファームウェアの更新データ取得についてのステップＳ１５〜Ｓ２０の処理を行い、次に、照明装置または撮影レンズのファームウェアの更新データ取得についてのステップＳ１５〜Ｓ２０の処理を行う。
【００２３】
なお、ステップＳ１１において、すべての画像データ情報について取得情報が内部メモリ１２に記録されている場合には（ステップＳ１１、Ｙｅｓ）、制御部４は、ステップＳ１０において読み込まれた画像データに基づく画像を撮像したカメラ、画像の撮像時にカメラに装着されていたカメラアクセサリのファームウェアの更新データを取得する処理が既に行われていると判断し、カメラ・カメラアクセサリのファームウェアの更新データを取得する処理を中断する。この場合には、カメラ・カメラアクセサリのファームウェアの更新データを取得する処理を繰り返す等の無駄な処理の実行を防止することができる。
【００２４】
カメラ、撮影レンズ及び照明装置のファームウェアの更新データが記録されたメモリカードは、メモリカードスロット６から取り出された後、例えば次の撮像時等にカメラのメモリカードスロットに挿入される。ユーザーによりカメラの電源がオンされると、カメラは、メモリカードに記録されているカメラのファームウェアの更新データを読み込み、カメラのファームウェアの更新を行うか否かの選択をさせるための選択画面をカメラの背面モニタに表示する。ユーザーがカメラのファームウェアを更新すると選択した場合には、カメラは、カメラのファームウェアの更新を行う。
【００２５】
また、カメラアクセサリのファームウェアの更新については、ユーザーによりカメラにカメラアクセサリが装着されたときに、ユーザーにカメラアクセサリのファームウェアの更新を行うか否かを選択させて、ユーザーがカメラアクセサリのファームウェアを更新すると選択した場合には、カメラは、装着されているカメラアクセサリのファームウェアの更新を行う。即ち、ユーザーが撮影レンズや照明装置を用いて撮像を行うために撮影レンズや照明装置をカメラに装着したときに、撮影レンズや照明装置のファームウェアの更新を促すため、ファームウェアの更新を行うためだけに撮影レンズや照明装置をカメラに装着する必要がなく、他の目的で撮影レンズや照明装置をカメラに装着した機会を利用して撮影レンズや照明装置のファームウェアの更新を行うことができる。
【００２６】
次に、本発明の第２の実施の形態に係る更新データ取得装置について説明する。なお、第２の実施の形態に係る更新データ取得装置は、第１の実施の形態に係る更新データ装置２と同一の構成を有している。したがって、第２の実施の形態に係る更新データ取得装置の構成についての説明を省略し、第１の実施の形態に係る更新データ取得装置２と同一の構成には同一の符号を用いて説明を行う。
【００２７】
図３は、第２の実施の形態に係る更新データ取得装置２においてカメラやカメラアクセサリのファームウェアの更新データを取得する際の処理について説明するためのフローチャートである。
【００２８】
まず、制御部４は、図２のステップＳ１０の処理と同様に、メモリカードスロット６に挿入されたメモリカードに記録されている画像データ及び画像データ情報を読み込む（ステップＳ３０）。そして、ステップＳ３０において読み込んだ画像データ情報に含まれているカメラの情報、カメラアクセサリの情報及び撮像日時を取得し（ステップＳ３１）、取得したカメラの情報及びカメラアクセサリの情報から、画像を撮像したカメラのメーカー及び機種、画像の撮像時に少なくとも１つのカメラアクセサリがカメラに装着されていたか否か、装着されていた場合には装着されていたすべてのカメラアクセサリのメーカー及び機種等を特定する。この実施の形態においても、ステップＳ３１において、１種類のカメラ、１種類の撮影レンズ、及び１種類の照明装置を特定する情報を取得したものとする。
【００２９】
次に、制御部４は、ステップＳ３１において特定されたカメラ、カメラアクセサリのファームウェアの更新データを受信したことを示す情報（以下、受信情報という）が内部メモリ１２に記録されているか否かを判別する（ステップＳ３２）。受信情報は、ステップＳ３１において取得したカメラの情報、カメラアクセサリの情報から特定されたカメラ及びカメラアクセサリのファームウェアの更新データをＷｅｂサーバ２０から以前に受信した際に、その更新データのバージョンに関する情報（以下、バージョン情報という）や受信日時等を含む情報として内部メモリ１２に記録された情報である。
【００３０】
この実施の形態においては、まず、カメラのファームウェアの更新データの受信情報が内部メモリ１２に記録されているか否かを判別する（ステップＳ３２）。受信情報が内部メモリ１２に記録されていると判別された場合には（ステップＳ３２、Ｙｅｓ）、制御部４は、Ｗｅｂサーバ２０内のカメラのファームウェアの最新バージョンに関する情報（以下、最新バージョン情報という）を取得する（ステップＳ３３）。そして、受信情報に含まれるバージョン情報と、ステップＳ３３においてＷｅｂサーバ２０から取得した最新バージョン情報とを比較する（ステップＳ３４）。複数の受信情報が存在する場合には、最新の受信情報に含まれているバージョン情報を用いる。
【００３１】
一方、受信情報が内部メモリ１２に記録されていないと判別された場合には（ステップＳ３２、Ｎｏ）、制御部４は、ステップＳ３０において読み込まれたすべての画像データ及び画像データ情報が更新データ取得装置２において初めて読み込まれたものであると判断し、図２のステップＳ１４〜Ｓ１６と同様の処理を行う（ステップＳ３６〜Ｓ３８）。ステップＳ３４における比較結果としてカメラのファームウェアの最新バージョン情報が受信情報に含まれるバージョン情報より新しい場合（ステップＳ３５、Ｙｅｓ）、ステップＳ３７における比較結果としてカメラのファームウェアの更新日時が画像の撮像日時より後であると判別された場合には（ステップＳ３８、Ｙｅｓ）、制御部４は、表示部１４に、図２のステップＳ１７と同様の表示を行う（ステップＳ３９）。
【００３２】
なお、ステップＳ４０及びＳ４１の処理は、図２のステップＳ１８及びＳ１９の処理と同一のため説明を省略する。ステップＳ４１の処理の後、制御部４は、ステップＳ４１においてカメラのファームウェアの更新データを受信したことを示す受信情報を内部メモリ１２に記録させる（ステップＳ４２）。なお、受信情報は、画像データ及び画像データ情報が記録されているメモリカードに記録させることもできる。
【００３３】
一方、ステップＳ３４における比較結果としてカメラのファームウェアの最新バージョン情報が受信情報に含まれるバージョン情報と同一の場合（ステップＳ３５、Ｎｏ）、ユーザーがステップＳ３９における表示に対して更新データを受信しないことを選択した場合（ステップＳ４０、Ｎｏ）、またはステップＳ３７における比較結果としてカメラのファームウェアの更新日時が画像の撮像日時より後でない場合（ステップＳ３８、Ｎｏ）、制御部４は、画像の撮像時に装着されていたカメラアクセサリのファームウェアの更新データ取得についての処理を行うため（ステップＳ４３、Ｙｅｓ）、ステップＳ３２に戻り、撮影レンズまたは照明装置についてステップＳ３２〜Ｓ４３の処理を行う。そして、カメラに装着されていたすべてのカメラアクセサリのファームウェアの更新データ取得についての処理が終了するまで（ステップＳ４３、Ｎｏ）、ステップＳ３２〜Ｓ４３の処理を繰り返す。
【００３４】
カメラ、撮影レンズ及び照明装置のファームウェアの更新データが記録されたメモリカードは、第１の実施の形態に係るメモリカードと同様に、メモリカードスロット６から取り出された後、カメラのメモリカードスロットに挿入される。そして、カメラ・カメラアクセサリのファームウェアの更新は、第１の実施の形態に係る更新処理と同様に、カメラにおいて行われる。
【００３５】
上述の各実施の形態に係る更新データ取得装置によれば、ユーザーがカメラやカメラアクセサリのファームウェアの更新データを取得するためを特別の処理を行わなくとも、ユーザーが画像を閲覧する際に画像データ情報から必要なファームウェアの更新の要否を判別することができるため、容易かつ確実にカメラやカメラアクセサリのファームウェアの更新データを取得することができる。また、更新データの受信が必要であると判別された場合においても、ユーザーはその更新データを受信するか否かを選択することができるため、例えば一時的に借用したカメラアクセサリのファームウェアの更新データ等の不必要なデータを受信することを防止することができる。
【００３６】
なお、上述の各実施の形態においては、更新データ取得装置としてＰＣを例に挙げて説明しているが、更新データ取得装置として通信機能を備えたカメラを用いることもできる。カメラのファームウェアの更新を行う場合、カメラにカメラアクセサリが装着された状態でカメラアクセサリの更新を行う場合には、メモリカードに更新データを記録させることなく、カメラ・カメラアクセサリのファームウェアの更新を行うことができる。また、他のカメラのファームウェアの更新データを受信することもできる。この場合には、メモリカードに更新データを記録させて、そのメモリカードを他のカメラに挿入し、他のカメラのファームウェアの更新を行う。
【００３７】
また、上述の各実施の形態においては、撮像日時と更新日時を比較しているが、更新データ取得装置において初めて画像を表示した日時と更新日時を比較することもできる。また、上述の各実施の形態においては、個々のカメラ・カメラアクセサリについて更新データを受信するか否かの選択させるための表示を行っているが、特定されたすべてのカメラ・カメラアクセサリを一覧で表示し、ユーザーが操作部１６を介して更新データを受信したいカメラ・カメラアクセサリを選択することにより、選択されたカメラ・カメラアクセサリのファームウェアの更新データがアップロードされているＷｅｂサーバ２０に接続する構成にすることもできる。また、ユーザーに更新データを受信するか否かを選択させているが、更新データを自動で受信する構成にすることもできる。
【図面の簡単な説明】
【００３８】
【図１】第１の実施の形態に係る更新データ取得装置のシステム構成を示すブロック図である。
【図２】第１の実施の形態に係る更新データ取得装置においてカメラ・カメラアクセサリのファームウェアの更新データを取得する際の処理について説明するためのフローチャートである。
【図３】第２の実施の形態に係る更新データ取得装置においてカメラ・カメラアクセサリのファームウェアの更新データを取得する際の処理について説明するためのフローチャートである。
【符号の説明】
【００３９】
２…更新データ取得装置、４…制御部、６…メモリカードスロット、８…ＵＳＢポート、１０…ネットワーク端子、１２…内部メモリ、１４…表示部、１６…操作部、１８…ネットワーク、２０…Ｗｅｂサーバ。
【図１】
2010146327.tif 000003
【図２】
2010146327.tif 000004
【図３】
2010146327.tif 000005